(57)【要約】【課題】ＡＲ表示を規制することができるようにする。【解決手段】携帯型端末装置とＡＲコンテンツの表示認証を行う認証装置とを含むＡＲ表示管理システムにおいて、携帯型端末装置は、当該装置の位置を示す位置情報と撮像部の撮像方向を示す方向情報とを取得し、ＡＲコンテンツの識別子と位置情報と方向情報とを含む、ＡＲコンテンツの表示認証要求電文を認証装置へ送信し、認証装置は、受信した表示認証要求電文に含まれる識別子と位置情報と方向情報とに基づいて、識別子に対応するＡＲコンテンツの表示を許可するか否かを認証し、その認証結果を含む応答電文を携帯型端末装置へ送信し、携帯型端末装置は、受信した応答電文に基づいて、ＡＲコンテンツの表示が可能であるか否かを判定し、その表示が可能であると判定した場合に、表示部に表示された撮像画像上にＡＲコンテンツを重ねて表示させる。【選択図】図１
2019087091.tif 000002
【特許請求の範囲】
【請求項１】
携帯型端末装置と、ＡＲ（Augmented Reality）コンテンツの表示認証を行う認証装置と、を含むＡＲ表示管理システムであって、
前記携帯型端末装置は、
被写体を撮像する撮像部と、
前記撮像部により撮像された前記被写体の撮像画像を表示する表示部と、
前記携帯型端末装置の位置を示す位置情報を取得する位置情報取得部と、
前記撮像部の撮像方向を示す方向情報を取得する方向情報取得部と、
ＡＲコンテンツの識別子と、前記位置情報と、前記方向情報とを含む、前記ＡＲコンテンツの表示認証要求電文を前記認証装置へ送信し、前記表示認証要求電文に対する応答電文を前記認証装置から受信する通信部と、
前記応答電文に基づいて、前記ＡＲコンテンツの表示が可能であるか否かを判定する判定部と、
前記ＡＲコンテンツの表示が可能であると前記判定部により判定された場合に、前記表示部に表示された前記撮像画像上に前記ＡＲコンテンツを重ねて表示させる表示制御部と、
を備え、
前記認証装置は、
前記表示認証要求電文を前記携帯型端末装置から受信し、前記表示認証要求電文に対する前記応答電文を前記携帯型端末装置へ送信する通信部と、
前記表示認証要求電文に含まれる、前記識別子、前記位置情報、及び前記方向情報に基づいて、前記識別子に対応する前記ＡＲコンテンツの表示を許可するか否かを認証する認証部と、
を備え、
前記応答電文は、前記認証部の認証結果を含む、
ことを特徴とするＡＲ表示管理システム。
【請求項２】
前記方向情報取得部は、
前記撮像部の撮像方向の方位角を示す方位角情報を取得する方位角情報取得部と、
前記撮像部の撮像方向の仰角を示す仰角情報を取得する仰角情報取得部と、
を含み、
前記方向情報は、前記方位角情報と前記仰角情報を含む、
ことを特徴とする請求項１記載のＡＲ表示管理システム。
【請求項３】
前記認証装置は、
ＡＲコンテンツの識別子と、前記ＡＲコンテンツの表示が許可されている、領域、方位角、及び仰角とが対応付けられた情報、及び、ＡＲコンテンツの表示が許可されていない領域に関する情報、を含むＡＲコンテンツ表示管理情報が記憶される表示管理情報記憶部と、
領域と優先度とが対応付けられた領域管理情報が記憶される領域管理情報記憶部と、
を更に備え、
前記認証部は、前記表示認証要求電文に含まれる、前記識別子、前記位置情報、及び前記方向情報と、前記表示管理情報記憶部に記憶された前記ＡＲコンテンツ表示管理情報と、前記領域管理情報記憶部に記憶された前記領域管理情報とに基づいて、前記認証を行う、
ことを特徴とする請求項２記載のＡＲ表示管理システム。
【請求項４】
前記認証部の認証結果が、前記識別子に対応する前記ＡＲコンテンツの表示を許可するという認証結果である場合、前記応答電文は、前記識別子に対応する前記ＡＲコンテンツの表示が許可されている、優先度が最も高い領域、方位角、及び仰角に関する情報を更に含み、
前記判定部は、前記応答電文に含まれる、前記ＡＲコンテンツの表示が許可されている、優先度が最も高い領域、方位角、及び仰角に関する情報と、前記応答電文の受信後に前記位置情報取得部により取得された位置情報と、前記応答電文の受信後に前記方向情報取得部により取得された方向情報とに基づいて、前記ＡＲコンテンツの表示が可能であるか否かを判定する、
ことを特徴とする請求項３記載のＡＲ表示管理システム。
【請求項５】
被写体を撮像する撮像部と前記撮像部により撮像された前記被写体の撮像画像を表示する表示部とを備える携帯型端末装置と、ＡＲ（Augmented Reality）コンテンツの表示認証を行う認証装置と、を含むＡＲ表示管理システムにおいて実行されるＡＲ表示管理方法であって、
前記携帯型端末装置は、
前記携帯型端末装置の位置を示す位置情報を取得し、
前記撮像部の撮像方向を示す方向情報を取得し、
ＡＲコンテンツの識別子と、前記位置情報と、前記方向情報とを含む、前記ＡＲコンテンツの表示認証要求電文を前記認証装置へ送信し、
前記認証装置は、
前記表示認証要求電文を前記携帯型端末装置から受信し、
前記表示認証要求電文に含まれる、前記識別子、前記位置情報、及び前記方向情報に基づいて、前記識別子に対応する前記ＡＲコンテンツの表示を許可するか否かを認証し、
前記表示認証要求電文に対する応答電文として、前記認証の結果を含む応答電文を、前記携帯型端末装置へ送信し、
前記携帯型端末装置は、
前記応答電文を前記認証装置から受信し、
前記応答電文に基づいて、前記ＡＲコンテンツの表示が可能であるか否かを判定し、
前記ＡＲコンテンツの表示が可能であると判定した場合に、前記表示部に表示された前記撮像画像上に前記ＡＲコンテンツを重ねて表示させる、
ことを特徴とするＡＲ表示管理方法。
【発明の詳細な説明】
【技術分野】
【０００１】
本発明は、ＡＲコンテンツの表示を管理するシステム及び方法に関する。
【背景技術】
【０００２】
従来、ＡＲ（Augmented Reality：拡張現実）という技術がある。
ＡＲとは、現実空間に付加情報を表示させ、現実世界を拡張する技術のことである。
【０００３】
ＶＲ（Virtual Reality：仮想現実）が、現実世界と切り離された仮想世界を主体とする技術であるのに対し、ＡＲは、あくまでも現実世界を主体とする技術である。
【０００４】
以下では、現実空間に表示させる付加情報をＡＲコンテンツともいう。また、現実空間に付加情報を表示させることをＡＲ表示又はＡＲコンテンツの表示ともいう。
【０００５】
近年では、ＡＲを適用した様々なサービスが実現されている。
ＡＲを適用したサービスの例として、スマートフォンにより撮像、表示されている被写体のリアルタイム画像上に、被写体に関する情報（例えば被写体に含まれる店舗の情報）を重ねて表示させることが可能なサービスが知られている（例えば特許文献１参照）。
【０００６】
また、ＡＲを適用したサービスの他の例として、スマートフォン用のゲームアプリ（ゲームアプリケーション）が知られている。その代表例として、プレーヤー（ユーザ）が現実空間を移動しながらゲームのキャラクターである架空生物を探索し、その捕獲等を行うゲームアプリが知られている。このゲームアプリでは、スマートフォンにより撮像、表示されている被写体のリアルタイム画像上に架空生物を重ねて表示させることで架空生物を出現させ、その架空生物に対してプレーヤーが所定の操作（スマートフォンの操作）を行うと、その捕獲を行うことができる。
【先行技術文献】
【特許文献】
【０００７】
【特許文献１】特開２０１３−８４３１３号公報
【発明の概要】
【発明が解決しようとする課題】
【０００８】
上述の代表例として挙げたゲームアプリでは、現実空間の様々な場所でＡＲ表示が行われる。そのため、ＡＲ表示が行われるのにそぐわない教会内等の場所であってもゲームアプリがプレイされてしまう場合があった。その結果、例えば、教会に迷惑を掛けてしまったり、プレーヤーが逮捕されてしまったり、等といった問題が発生している。
【０００９】
本発明は、上記実状に鑑み、ＡＲ表示を規制することができるＡＲ表示管理システム及びＡＲ表示管理方法を提供することを目的とする。
【課題を解決するための手段】
【００１０】
システムの一観点は、携帯型端末装置と、ＡＲ（Augmented Reality）コンテンツの表示認証を行う認証装置と、を含むＡＲ表示管理システムであって、前記携帯型端末装置は、被写体を撮像する撮像部と、前記撮像部により撮像された前記被写体の撮像画像を表示する表示部と、前記携帯型端末装置の位置を示す位置情報を取得する位置情報取得部と、前記撮像部の撮像方向を示す方向情報を取得する方向情報取得部と、ＡＲコンテンツの識別子と、前記位置情報と、前記方向情報とを含む、前記ＡＲコンテンツの表示認証要求電文を前記認証装置へ送信し、前記表示認証要求電文に対する応答電文を前記認証装置から受信する通信部と、前記応答電文に基づいて、前記ＡＲコンテンツの表示が可能であるか否かを判定する判定部と、前記ＡＲコンテンツの表示が可能であると前記判定部により判定された場合に、前記表示部に表示された前記撮像画像上に前記ＡＲコンテンツを重ねて表示させる表示制御部と、を備え、前記認証装置は、前記表示認証要求電文を前記携帯型端末装置から受信し、前記表示認証要求電文に対する前記応答電文を前記携帯型端末装置へ送信する通信部と、前記表示認証要求電文に含まれる、前記識別子、前記位置情報、及び前記方向情報に基づいて、前記識別子に対応する前記ＡＲコンテンツの表示を許可するか否かを認証する認証部と、を備え、前記応答電文は、前記認証部の認証結果を含む、ことを特徴とする。
【００１１】
方法の一観点は、被写体を撮像する撮像部と前記撮像部により撮像された前記被写体の撮像画像を表示する表示部とを備える携帯型端末装置と、ＡＲ（Augmented Reality）コンテンツの表示認証を行う認証装置と、を含むＡＲ表示管理システムにおいて実行されるＡＲ表示管理方法であって、前記携帯型端末装置は、前記携帯型端末装置の位置を示す位置情報を取得し、前記撮像部の撮像方向を示す方向情報を取得し、ＡＲコンテンツの識別子と、前記位置情報と、前記方向情報とを含む、前記ＡＲコンテンツの表示認証要求電文を前記認証装置へ送信し、前記認証装置は、前記表示認証要求電文を前記携帯型端末装置から受信し、前記表示認証要求電文に含まれる、前記識別子、前記位置情報、及び前記方向情報に基づいて、前記識別子に対応する前記ＡＲコンテンツの表示を許可するか否かを認証し、前記表示認証要求電文に対する応答電文として、前記認証の結果を含む応答電文を、前記携帯型端末装置へ送信し、前記携帯型端末装置は、前記応答電文を前記認証装置から受信し、前記応答電文に基づいて、前記ＡＲコンテンツの表示が可能であるか否かを判定し、前記ＡＲコンテンツの表示が可能であると判定した場合に、前記表示部に表示された前記撮像画像上に前記ＡＲコンテンツを重ねて表示させる、ことを特徴とする。
【発明の効果】
【００１２】
開示のシステム及び方法は、ＡＲ表示を規制することができる、という効果を奏する。
【図面の簡単な説明】
【００１３】
【図１】一実施の形態に係るＡＲ表示管理システムの全体構成図である。
【図２】モバイル端末の機能ブロック図である。
【図３】モバイル端末のハードウェア構成図である。
【図４】管理サーバの機能ブロック図である。
【図５】領域提供者管理テーブルの一例を示す図である。
【図６】ベンダー管理テーブルの一例を示す図である。
【図７】ＡＲコンテンツ管理テーブルの一例を示す図である。
【図８】ＡＲコンテンツの一例を示す図である。
【図９】領域管理テーブルの一例を示す図である。
【図１０】座標情報の一例を示す図である。
【図１１】ＡＲコンテンツ表示管理テーブルの一例を示す図である。
【図１２】方位角と仰角の範囲の一例を示す図である。
【図１３】ＡＲコンテンツの表示規制例を示す図である。
【図１４】管理サーバのハードウェア構成図である。
【図１５】モバイル端末において実行されるＡＲ表示管理処理の流れを示すフローチャートである。
【図１６】管理サーバにおいて実行されるＡＲ表示管理処理の流れを示すフローチャートである。
【図１７】表示認証要求電文の一例を示す図である。
【図１８】表示認証要求電文に対する応答電文の一例を示す図である。
【発明を実施するための形態】
【００１４】
以下、図面を参照しながら本発明の実施の形態について説明する。
図１は、一実施の形態に係るＡＲ表示管理システムの全体構成図である。
【００１５】
図１に示したように、ＡＲ表示管理システム１は、プロバイダ端末１０、ベンダー端末２０、モバイル端末３０、及び管理サーバ４０を含み、その各々がネットワーク５０に接続されている。プロバイダ端末１０、ベンダー端末２０、及びモバイル端末３０の各々と管理サーバ４０は、ネットワーク５０を介して、相互に通信が可能である。
【００１６】
プロバイダ端末１０は、領域（ＡＲ表示を規制する領域）を提供する者（以下、「領域提供者」という）が使用する端末装置であり、例えばＰＣ（Personal Computer）である。プロバイダ端末１０は、提供する領域を領域提供者が管理サーバ４０に登録する際等に使用される。
【００１７】
ベンダー端末２０は、ＡＲコンテンツの作成及び提供を行うベンダーが使用する端末装置であり、例えばＰＣである。ベンダー端末２０は、提供するＡＲコンテンツをベンダーが管理サーバ４０に登録する際等に使用される。
【００１８】
モバイル端末３０は、ＡＲコンテンツの表示が可能な携帯型端末装置であり、例えばスマートフォン又はタブレット端末である。
【００１９】
管理サーバ４０は、登録された領域を提供する領域提供者の管理、登録されたＡＲコンテンツを提供するベンダーの管理、登録されたＡＲコンテンツの管理、登録された領域の管理、ＡＲコンテンツの表示を規制する領域、方位角、及び仰角の管理、及びＡＲコンテンツの表示認証等を行う。なお、管理サーバ４０は、ＡＲコンテンツの表示認証を行う認証装置の一例でもある。
【００２０】
ネットワーク５０は、例えばインターネットである。
図２は、モバイル端末３０の機能ブロック図である。
【００２１】
図２に示したように、モバイル端末３０は、入力部３０１、撮像部３０２、表示部３０３、表示コンテンツ決定部３０４、位置情報取得部３０５、方位角情報取得部３０６、仰角情報取得部３０７、通信部３０８、判定部３０９、及び表示制御部３１０を備える。
【００２２】
入力部３０１は、ユーザからの各種の入力を受け付ける。
撮像部３０２は、被写体を撮像して、その撮像画像を取得する。
【００２３】
表示部３０３は、各種の表示を行う。例えば、撮像部３０２により撮像された被写体の撮像画像を表示する。
【００２４】
表示コンテンツ決定部３０４は、表示部３０３に表示された撮像画像上に重ねて表示させるＡＲコンテンツを決定する。
【００２５】
位置情報取得部３０５は、モバイル端末３０の位置（現在位置）を示す位置情報を取得する。
【００２６】
方位角情報取得部３０６は、撮像部３０２の撮像方向（被写体方向でもある）の方位角を示す方位角情報を取得する。
【００２７】
仰角情報取得部３０７は、撮像部３０２の撮像方向の仰角を示す仰角情報を取得する。
なお、方位角情報取得部３０６及び仰角情報取得部３０７は、撮像部３０２の撮像方向を示す方向情報を取得する方向情報取得部の一例でもある。この場合、方向情報は、方位角情報と仰角情報を含む。
【００２８】
通信部３０８は、管理サーバ４０等の外部装置と通信を行う。例えば、通信部３０８は、表示コンテンツ決定部３０４により決定されたＡＲコンテンツの表示認証要求電文を管理サーバ４０へ送信し、その表示認証要求電文に対する応答電文を管理サーバ４０から受信する。ここで、表示認証要求電文は、表示コンテンツ決定部３０４により決定されたＡＲコンテンツの識別子であるコンテンツＩＤ（identification）と、位置情報取得部３０５により取得された位置情報と、方位角情報取得部３０６により取得された方位角情報と、仰角情報取得部３０７により取得された仰角情報とを含む。
【００２９】
判定部３０９は、通信部３０８により受信された応答電文に基づいて、表示コンテンツ決定部３０４により決定されたＡＲコンテンツの表示が可能であるか否かを判定する。
【００３０】
表示制御部３１０は、表示コンテンツ決定部３０４により決定されたＡＲコンテンツの表示が可能であると判定部３０９により判定された場合に、表示部３０３に表示された撮像画像上に、そのＡＲコンテンツを重ねて表示させる等の表示制御を行う。
【００３１】
図３は、モバイル端末３０のハードウェア構成図である。
図３に示したように、モバイル端末３０は、ＣＰＵ（Central Processing Unit）３２１、メモリ３２２、タッチパネル装置３２３、表示装置３２４、カメラ３２５、ＧＰＳ（Global Positioning System）センサー３２６、地磁気センサー３２７、加速度センサー３２８、ジャイロセンサー３２９、媒体駆動装置３３０、及びネットワーク接続装置３３１を備える。これらは、バス３３２により相互に接続されている。
【００３２】
メモリ３２２は、例えば、ＲＯＭ（Read Only Memory）、ＲＡＭ（Random Access Memory）、フラッシュメモリ等の半導体メモリであり、処理に用いられるプログラム及びデータを格納する。ＣＰＵ３２１は、メモリ３２２を利用してプログラムを実行することにより、モバイル端末３０の様々な処理を行う。
【００３３】
タッチパネル装置３２３は、表示装置３２４の表示画面上に設けられ、ユーザからの各種の入力を受け付ける。タッチパネル装置３２３は、入力部３０１に対応する。
【００３４】
表示装置３２４は、例えばＬＣＤ（Liquid Crystal Display）装置であり、各種の表示を行う。表示装置３２４は、表示部３０３に対応する。
【００３５】
カメラ３２５は、撮像素子を備えた撮像装置であり、被写体を撮像して、その撮像画像を取得する。撮像素子は、例えば、ＣＣＤ（Charge Coupled Device）又はＣＭＯＳ（complementary metal oxide semiconductor）である。カメラ３２５は、撮像部３０２に対応する。
【００３６】
ＧＰＳセンサー３２６は、位置を検出するセンサーであり、モバイル端末３０の位置情報を取得する際に用いられる。
【００３７】
地磁気センサー３２７は、例えば３軸の地磁気を検出するセンサーである。
加速度センサー３２８は、例えば３軸の加速度を検出するセンサーである。
【００３８】
ジャイロセンサー３２９は、例えば３軸の回転角速度を検出するセンサーである。
地磁気センサー３２７、加速度センサー３２８、及びジャイロセンサー３２９は、例えば、カメラ３２５の撮像方向の方位角情報及び仰角情報を取得する際に用いられる。
【００３９】
媒体駆動装置３３０は、可搬型記録媒体３３３を駆動し、その記録内容にアクセスする。可搬型記録媒体３３３は、例えばＳＤカードメモリである。モバイル端末３０は、この可搬型記録媒体３３３にプログラム及びデータを格納しておき、それらをメモリ３２２にロードして使用することもできる。
【００４０】
ネットワーク接続装置３３１は、ネットワーク５０に接続され、通信に伴うデータ変換を行う通信インタフェースである。ネットワーク接続装置３３１は、通信部３０８に対応する。モバイル端末３０は、プログラム及びデータを外部の装置からネットワーク接続装置３３１を介して受け取り、それらをメモリ３２２にロードして使用することもできる。
【００４１】
図４は、管理サーバ４０の機能ブロック図である。
図４に示したように、管理サーバ４０は、領域提供者管理部４０１、ベンダー管理部４０２、ＡＲコンテンツ管理部４０３、領域管理部４０４、ＡＲコンテンツ表示管理部４０５、通信部４０６、認証部４０７、領域提供者管理テーブル記憶部４０８、ベンダー管理テーブル記憶部４０９、ＡＲコンテンツ管理テーブル記憶部４１０、領域管理テーブル記憶部４１１、ＡＲコンテンツ表示管理テーブル記憶部４１２、ＡＲコンテンツ記憶部４１３、及び領域座標情報記憶部４１４を備える。
【００４２】
領域提供者管理部４０１は、管理サーバ４０に登録された領域を提供する領域提供者を、領域提供者管理テーブルを用いて管理する。
【００４３】
ベンダー管理部４０２は、管理サーバ４０に登録されたＡＲコンテンツを提供するベンダーを、ベンダー管理テーブルを用いて管理する。
【００４４】
ＡＲコンテンツ管理部４０３は、管理サーバ４０に登録されたＡＲコンテンツを、ＡＲコンテンツ管理テーブルを用いて管理する。
【００４５】
領域管理部４０４は、管理サーバ４０に登録された領域を、領域管理テーブルを用いて管理する。
【００４６】
ＡＲコンテンツ表示管理部４０５は、ＡＲコンテンツの表示を規制する領域、方位角、及び仰角を、ＡＲコンテンツ表示管理テーブルを用いて管理する。
【００４７】
通信部４０６は、プロバイダ端末１０、ベンダー端末２０、及びモバイル端末３０等の外部装置と通信を行う。例えば、通信部４０６は、モバイル端末３０から表示認証要求電文を受信し、その表示認証要求電文に対する応答電文をモバイル端末３０へ送信する。
【００４８】
認証部４０７は、通信部４０６により受信された表示認証要求電文に含まれるコンテンツＩＤ、位置情報、方位角情報、及び仰角情報に基づいて、そのコンテンツＩＤに対応するＡＲコンテンツの表示を許可するか否かを認証する。このときの認証結果は、通信部４０６により送信される応答電文に含まれる。
【００４９】
領域提供者管理テーブル記憶部４０８は、領域提供者管理テーブルを記憶する。
ベンダー管理テーブル記憶部４０９は、ベンダー管理テーブルを記憶する。
【００５０】
ＡＲコンテンツ管理テーブル記憶部４１０は、ＡＲコンテンツ管理テーブルを記憶する。
【００５１】
領域管理テーブル記憶部４１１は、領域管理テーブルを記憶する。
ＡＲコンテンツ表示管理テーブル記憶部４１２は、ＡＲコンテンツ表示管理テーブルを記憶する。
【００５２】
ＡＲコンテンツ記憶部４１３は、管理サーバ４０に登録されたＡＲコンテンツを記憶する。
【００５３】
領域座標情報記憶部４１４は、管理サーバ４０に登録された領域の座標情報を記憶する。
【００５４】
図５は、領域提供者管理テーブル記憶部４０８に記憶された領域提供者管理テーブルの一例を示す図である。
【００５５】
図５に示したように、領域提供者管理テーブルには、管理サーバ４０に登録された領域を提供する領域提供者毎に、領域提供者の識別子である提供者ＩＤと、提供者名（領域提供者名）と、提供者住所（領域提供者住所）とが対応付けられて格納される。ここで、提供者ＩＤ、提供者名、及び提供者住所の各々は、例えば、文字型のデータとして格納される。
【００５６】
図６は、ベンダー管理テーブル記憶部４０９に記憶されたベンダー管理テーブルの一例を示す図である。
【００５７】
図６に示したように、ベンダー管理テーブルには、管理サーバ４０に登録されたＡＲコンテンツを提供するベンダー毎に、ベンダーの識別子であるベンダーＩＤと、ベンダー名と、ベンダー住所とが対応付けられて格納される。ここで、ベンダーＩＤ、ベンダー名、及びベンダー住所の各々は、例えば、文字型のデータとして格納される。
【００５８】
図７は、ＡＲコンテンツ管理テーブル記憶部４１０に記憶されたＡＲコンテンツ管理テーブルの一例を示す図である。図８は、ＡＲコンテンツ記憶部４１３に記憶されたＡＲコンテンツの一例を示す図である。
【００５９】
図７に示したように、ＡＲコンテンツ管理テーブルには、管理サーバ４０に登録されたＡＲコンテンツ毎に、コンテンツＩＤと、コンテンツ格納場所（ＡＲコンテンツの格納場所）とが対応付けられて格納される。ここで、コンテンツＩＤ及びコンテンツ格納場所の各々は、例えば、文字型のデータとして格納される。
【００６０】
図７に示したＡＲコンテンツ管理テーブルに格納されたコンテンツ格納場所が示すＡＲコンテンツ記憶部４１３における格納位置には、例えば、図８に示した表示イメージ（動画像）のＡＲコンテンツが格納されている。
【００６１】
図９は、領域管理テーブル記憶部４１１に記憶された領域管理テーブルの一例を示す図である。図１０は、領域座標情報記憶部４１４に記憶された座標情報の一例を示す図である。
【００６２】
図９に示したように、領域管理テーブルには、管理サーバ４０に登録された領域毎に、領域を提供する領域提供者の提供者ＩＤと、領域の識別子である領域ＩＤと、領域名と、領域の優先度と、領域の座標情報格納場所とが対応付けられて格納される。ここで、提供者ＩＤ、領域ＩＤ、領域名、及び座標情報格納場所の各々は、例えば、文字型のデータとして格納され、優先度は、例えば、数値型のデータとして格納される。なお、優先度は、領域が他の領域と重なる場合に、何れの領域を採用するかを決定する際に用いられ、その数値が大きいほど優先度が高くなる。
【００６３】
図９に示した領域管理テーブルに格納された座標情報格納場所が示す領域座標情報記憶部４１４における格納位置には、例えば、図１０に示した座標情報が格納されている。
【００６４】
図１０に示した座標情報は、いずれも四角形の領域の座標情報を示している。ここでは、四角形の領域の座標情報が、１つの起点座標と四角形の４つの頂点の相対座標（相対座標１、相対座標２、相対座標３、相対座標４）によって構成される。ここで、起点座標は、北緯と東経によって表される。なお、四角形の領域の座標情報の構成は、これに限らず、例えば、四角形の４つの頂点の絶対座標によって構成されてもよい。
【００６５】
図１１は、ＡＲコンテンツ表示管理テーブル記憶部４１２に記憶されたＡＲコンテンツ表示管理テーブルの一例を示す図である。図１２は、方位角と仰角の範囲の一例を示す図である。
【００６６】
図１１に示したように、ＡＲコンテンツ表示管理テーブルには、ＡＲコンテンツの表示を規制する領域、方位角、及び仰角の組み合わせ毎に、表示を規制する領域の領域ＩＤと、表示を許可するＡＲコンテンツのコンテンツＩＤである許可コンテンツＩＤと、表示を許可する方位角と、表示を許可する仰角とが対応付けられて格納される。ここで、領域ＩＤ及び許可コンテンツＩＤは、例えば、文字型のデータとして格納され、方位角及び仰角は、例えば、数値型のデータとして格納される。
【００６７】
方位角は、北を０°、東を９０°、南を１８０°、西を２７０°として、０から３５９までのいずれかの値とされる。但し、全ての方位角（０°〜３５９°）においてＡＲコンテンツの表示が許可される場合には「１１１１」とされ、全ての方位角においてＡＲコンテンツの表示が禁止される場合には「２２２２」とされる。
【００６８】
仰角は、水平面に対して垂直下方向を−９０°、水平方向を０°、水平面に対して垂直上方向を９０°として、−８９から８９までのいずれかの値とされる。但し、方位角と同様に、全ての仰角（−８９°〜８９°）においてＡＲコンテンツの表示が許可される場合には「１１１１」とされ、全ての仰角においてＡＲコンテンツの表示が禁止される場合には「２２２２」とされる。
【００６９】
また、ＡＲコンテンツの表示が禁止される領域の領域ＩＤに対しては、許可コンテンツＩＤとしてｎｕｌｌ（「空白」）が対応付けられる。
【００７０】
なお、図１１に示したＡＲコンテンツ表示管理テーブルでは、領域ＩＤ「ＰＲＯＶ＿００１＿ＡＲＥＡ＿００３」と対応付けられている組み合わせの一部を省略して示しているが、実際には、その組み合わせの数が全部で４２０個ある。より詳しくは、図１２に示したように、方位角が２６０°から２８０°までの範囲と、仰角が−１０°から１０°の範囲で、そのいずれかが１°づつ異なる組み合わせの分だけあり、全部で４２０個ある。
【００７１】
図１３は、ＡＲコンテンツの表示規制例を示す図である。
図１３に示した表示規制例は、図７に示したＡＲコンテンツ管理テーブル、図８に示したＡＲコンテンツ、図９に示した領域管理テーブル、図１０に示した座標情報、及び図１１に示したＡＲコンテンツ表示管理テーブルによって規定されたものである。
【００７２】
図１３に示したように、この表示規制例では、領域ＩＤ「ＰＲＯＶ＿００１＿ＡＲＥＡ＿００２」に対応する領域である「区画２」（領域名「表示禁止区画」）は、ＡＲコンテンツの表示が一切禁止される領域となる。領域ＩＤ「ＰＲＯＶ＿００１＿ＡＲＥＡ＿００３」に対応する領域である「区画３」（領域名「特殊表示制御区画」）は、図１２に示したように方位角が２６０°から２８０°までの範囲内且つ仰角が−１０°から１０°の範囲内でＡＲコンテンツ「ＶＥＮＤ＿００１＿ＣＯＮＴ＿００２．ａｖｉ」（図８参照）のみの表示が許可され、それ以外の方位角及び仰角の範囲ではＡＲコンテンツの表示が一切禁止される領域となる。領域ＩＤ「ＰＲＯＶ＿００１＿ＡＲＥＡ＿００１」に対応する領域である「区画１」（領域名「全体区画」）は、ＡＲコンテンツ「ＶＥＮＤ＿００１＿ＣＯＮＴ＿００１．ａｖｉ」（図８参照）のみの表示が許可される領域となる。但し、「区画２」と重なる部分については、「区画１」の優先度（「１」）よりも「区画２」の優先度（「２」）の方が高いので、「区画２」の表示規制が採用される。また、「区画３」と重なる部分については、「区画１」の優先度（「１」）よりも「区画３」の優先度（「２」）の方が高いので、「区画３」の表示規制が採用される。
【００７３】
図１４は、管理サーバ４０のハードウェア構成図である。
図１４に示したように、管理サーバ４０は、ＣＰＵ４２１、メモリ４２２、入力装置４２３、出力装置４２４、外部記憶装置４２５、媒体駆動装置４２６、及びネットワーク接続装置４２７を備える。これらはバス４２８により相互に接続されている。
【００７４】
メモリ４２２は、例えば、ＲＯＭ、ＲＡＭ、フラッシュメモリ等の半導体メモリであり、処理に用いられるプログラム及びデータを格納する。ＣＰＵ４２１は、メモリ４２２を利用してプログラムを実行することにより、管理サーバ４０の様々な処理を行う。
【００７５】
入力装置４２３は、例えば、キーボード、ポインティングデバイス、タッチパネル等であり、ユーザからの指示や情報の入力に用いられる。出力装置４２４は、例えば、表示装置、プリンタ、スピーカ等であり、ユーザへの問い合わせや処理結果の出力に用いられる。
【００７６】
外部記憶装置４２５は、例えば、磁気ディスク装置、光ディスク装置、光磁気ディスク装置、テープ装置等である。この外部記憶装置４２５には、ハードディスクドライブも含まれる。管理サーバ４０は、この外部記憶装置４２５にプログラム及びデータを格納しておき、それらをメモリ４２２にロードして使用することもできる。
【００７７】
媒体駆動装置４２６は、可搬型記録媒体４２９を駆動し、その記録内容にアクセスする。可搬型記録媒体４２９は、メモリデバイス、フレキシブルディスク、光ディスク、光磁気ディスク等である。この可搬型記録媒体４２９には、Compact Disk Read Only Memory （ＣＤ−ＲＯＭ）、Digital Versatile Disk（ＤＶＤ）、Universal Serial Bus（ＵＳＢ）メモリ、ＳＤカードメモリ等も含まれる。管理サーバ４０は、この可搬型記録媒体４２９にプログラム及びデータを格納しておき、それらをメモリ４２２にロードして使用することもできる。
【００７８】
なお、メモリ４２２、外部記憶装置４２５、及び可搬型記録媒体４２９は、領域提供者管理テーブル記憶部４０８、ベンダー管理テーブル記憶部４０９、ＡＲコンテンツ管理テーブル記憶部４１０、領域管理テーブル記憶部４１１、ＡＲコンテンツ表示管理テーブル記憶部４１２、ＡＲコンテンツ記憶部４１３、及び領域座標情報記憶部４１４に対応する。
【００７９】
ネットワーク接続装置４２７は、ネットワーク５０に接続され、通信に伴うデータ変換を行う通信インタフェースである。ネットワーク接続装置４２７は、通信部４０６に対応する。管理サーバ４０は、プログラム及びデータを外部の装置からネットワーク接続装置４２７を介して受け取り、それらをメモリ４２２にロードして使用することもできる。
【００８０】
なお、プロバイダ端末１０及びベンダー端末２０も、例えば、図１４に示したハードウェア構成と同様のハードウェア構成により実現することができる。
【００８１】
次に、ＡＲ表示管理システム１において実行されるＡＲ表示管理処理について説明する。
【００８２】
ここでは、前述の代表例として挙げたゲームアプリ等のＡＲ表示アプリ（ＡＲ表示を行うアプリケーション）が予めモバイル端末３０にダウンロードされているとする。また、そのＡＲ表示アプリに付随するデータとして、ＡＲ表示に用いられるＡＲコンテンツとそれに対応付けられたコンテンツＩＤも予めダウンロードされているとする。なお、これらは、例えば、管理サーバ４０からダウンロードされてもよいし、他の外部装置からネットワーク５０を介してダウンロードされてもよい。
【００８３】
図１５は、モバイル端末３０において実行されるＡＲ表示管理処理の流れを示すフローチャートである。図１６は、管理サーバ４０において実行されるＡＲ表示管理処理の流れを示すフローチャートである。図１７は、表示認証要求電文の一例を示す図である。図１８は、表示認証要求電文に対する応答電文の一例を示す図である。
【００８４】
図１５に示したモバイル端末３０のＡＲ表示管理処理は、例えば、モバイル端末３０においてＡＲ表示アプリが実行され、その実行中において、ＡＲ表示させるＡＲコンテンツが決定される毎に開始する処理である。ここで、ＡＲ表示させるＡＲコンテンツとは、撮像部３０２により撮像され表示部３０３に表示されている被写体のリアルタイム画像（撮像画像）上に表示させるＡＲコンテンツのことであり、その決定は、表示コンテンツ決定部３０４により行われる。表示コンテンツ決定部３０４により決定されたＡＲコンテンツを実際にＡＲ表示させるか否かは、ＡＲ表示アプリではなく、このＡＲ表示管理処理に従って行われる。図１６に示した管理サーバ４０のＡＲ表示管理処理は、例えば、管理サーバ４０のユーザが処理開始指示を入力すると開始する処理である。
【００８５】
図１５に示したように、モバイル端末３０において処理が開始すると、ステップ（以下「Ｓ」という）１５０１において、位置情報取得部３０５は、モバイル端末３０の位置情報を取得する。
【００８６】
Ｓ１５０２において、方位角情報取得部３０６は、撮像部３０２の撮像方向の方位角情報を取得する。
【００８７】
Ｓ１５０３において、仰角情報取得部３０７は、撮像部３０２の撮像方向の仰角情報を取得する。
【００８８】
Ｓ１５０４において、通信部３０８は、表示コンテンツ決定部３０４により決定されたＡＲコンテンツの表示認証要求電文を管理サーバ４０へ送信する。表示認証要求電文は、例えば図１７に示したように、表示コンテンツ決定部３０４により決定されたＡＲコンテンツのコンテンツＩＤと、Ｓ１５０１で取得された位置情報（北緯と東経のデータ）と、Ｓ１５０２で取得された方位角情報と、Ｓ１５０３で取得された仰角情報とを含む。
【００８９】
一方、管理サーバ４０においては、処理が開始すると、図１６に示したように、Ｓ１６０１において、終了要求判定を行う。この判定では、例えば、管理サーバ４０のユーザにより、処理の終了指示が入力された場合は判定結果が「終了」となり、その終了指示が入力されていない場合は判定結果が「継続」となる。
【００９０】
Ｓ１６０１の判定結果が「終了」の場合は、管理サーバ４０のＡＲ表示管理処理が終了する。
【００９１】
一方、Ｓ１６０１の判定結果が「継続」の場合は、その後、Ｓ１６０２において、Ｓ１５０４でモバイル端末３０から送信された表示認証要求電文を通信部４０６が受信すると、Ｓ１６０３において、認証部４０７は、ＡＲコンテンツ表示管理テーブル記憶部４１２に記憶されたＡＲコンテンツ表示管理テーブルから、表示認証要求電文に含まれるコンテンツＩＤと、ｎｕｌｌ（「空白」）をキーにレコードを抽出する。すなわち、許可コンテンツＩＤとして、表示認証要求電文に含まれるコンテンツＩＤ又はｎｕｌｌが格納されている組み合わせのレコードを抽出する。
【００９２】
例えば、表示認証要求電文が図１７に示したものであり、ＡＲコンテンツ表示管理テーブルが図１１に示したものである場合は、Ｓ１６０３において、ＡＲコンテンツ表示管理テーブルから、許可コンテンツＩＤが「ＶＥＮＤ＿００１＿ＣＯＮＴ＿００２」のレコード（４２０個のレコード）と許可コンテンツＩＤがｎｕｌｌ（「空白」）のレコードとが抽出される。
【００９３】
Ｓ１６０４において、認証部４０７は、Ｓ１６０３で抽出されたレコード数が０であるか否かを判定する。
【００９４】
Ｓ１６０４の判定結果がＹＥＳの場合は、処理がＳ１６２０へ進む。
一方、Ｓ１６０４の判定結果がＮＯの場合、Ｓ１６０５において、認証部４０７は、優先度の値が格納される変数である優先度ＷＯＲＫを初期化する。これにより、優先度ＷＯＲＫの値が０にされる。
【００９５】
Ｓ１６０６において、認証部４０７は、領域ＩＤの文字が格納される変数である領域ＩＤＷＯＲＫを初期化する。これにより、領域ＩＤＷＯＲＫの文字がｎｕｌｌ（「空白」）にされる。
【００９６】
Ｓ１６０７において、認証部４０７は、Ｓ１６０３で抽出されたレコードから領域ＩＤを列挙する。
【００９７】
例えば、Ｓ１６０３で抽出されたレコードが、上述の、許可コンテンツＩＤが「ＶＥＮＤ＿００１＿ＣＯＮＴ＿００２」のレコード（４２０個のレコード）と許可コンテンツＩＤがｎｕｌｌ（「空白」）のレコードである場合は、Ｓ１６０７において、「ＲＲＯＶ＿００１＿ＡＲＥＡ＿００２」と「ＲＲＯＶ＿００１＿ＡＲＥＡ＿００３」の２つの領域ＩＤが列挙される。
【００９８】
Ｓ１６０８において、認証部４０７は、領域管理テーブル記憶部４１１に記憶された領域管理テーブルから、Ｓ１６０７で列挙された領域ＩＤをキーにレコードを抽出する。
【００９９】
例えば、Ｓ１６０７で列挙された領域ＩＤが、上述の、「ＲＲＯＶ＿００１＿ＡＲＥＡ＿００２」と「ＲＲＯＶ＿００１＿ＡＲＥＡ＿００３」の２つの領域ＩＤである場合は、Ｓ１６０８において、領域管理テーブルから、領域ＩＤが「ＲＲＯＶ＿００１＿ＡＲＥＡ＿００２」のレコードと領域ＩＤが「ＲＲＯＶ＿００１＿ＡＲＥＡ＿００３」のレコードとが抽出される。
【０１００】
Ｓ１６０８が終了すると、認証部４０７は、Ｓ１６０８で抽出されたレコードの各々に対し、次のＳ１６０９からＳ１６１３における処理を行う。
【０１０１】
まず、Ｓ１６０９において、認証部４０７は、Ｓ１６０８で抽出されたレコードの中から、未だ処理対象レコードとされていないレコードの１つを処理対象レコードとし、その処理対象レコードの座標情報格納場所が示す領域座標情報記憶部４１４における格納場所から、座標情報を取得する。
【０１０２】
Ｓ１６１０において、認証部４０７は、Ｓ１６０２で受信された表示認証要求電文に含まれる位置情報が示す位置が、Ｓ１６０９で取得された座標情報が示す領域内であるか否かを判定する。
【０１０３】
Ｓ１６１０の判定結果がＮＯの場合は、処理がＳ１６１４へ進む。
一方、Ｓ１６１０の判定結果がＹＥＳの場合、Ｓ１６１１において、認証部４０７は、処理対象レコードの優先度の値が優先度ＷＯＲＫの値よりも大きいか否か（優先度＞優先度ＷＯＲＫであるか否か）を判定する。
【０１０４】
Ｓ１６１１の判定結果がＮＯの場合は、処理がＳ１６１４へ進む。
一方、Ｓ１６１１の判定結果がＹＥＳの場合、Ｓ１６１２において、認証部４０７は、優先度ＷＯＲＫに、処理対象レコードの優先度の値を格納する（優先度ＷＯＲＫ←優先度）。これにより、優先度ＷＯＲＫの値が、処理対象レコードの優先度の値とされる。
【０１０５】
Ｓ１６１３において、認証部４０７は、領域ＩＤＷＯＲＫに、処理対象レコードの領域ＩＤの文字を格納する（領域ＩＤＷＯＲＫ←領域ＩＤ）。これにより、領域ＩＤＷＯＲＫの文字が、処理対象レコードの領域ＩＤの文字とされる。
【０１０６】
Ｓ１６１４において、認証部４０７は、Ｓ１６０８で抽出されたレコードの各々に対し、Ｓ１６０９からＳ１６１３における処理が完了したか否かを判定する。
【０１０７】
Ｓ１６１４の判定結果がＮＯの場合は、処理がＳ１６０９に戻る。
一方、Ｓ１６１４の判定結果がＹＥＳの場合、Ｓ１６１５において、認証部４０７は、領域ＩＤＷＯＲＫの文字がｎｕｌｌ（「空白」）であるか否かを判定する。
【０１０８】
Ｓ１６１５の判定結果がＹＥＳの場合は、処理がＳ１６２０へ進む。
一方、Ｓ１６１５の判定結果がＮＯの場合、Ｓ１６１６において、認証部４０７は、ＡＲコンテンツ表示管理テーブル記憶部４１２に記憶されたＡＲコンテンツ表示管理テーブルから、領域ＩＤＷＯＲＫの文字と同じ文字の領域ＩＤとＳ１６０２で受信された表示認証要求電文に含まれるコンテンツＩＤをキーにレコードを抽出する。
【０１０９】
例えば、Ｓ１６０８で抽出されたレコードが、上述の、領域ＩＤが「ＲＲＯＶ＿００１＿ＡＲＥＡ＿００２」のレコードと、領域ＩＤが「ＲＲＯＶ＿００１＿ＡＲＥＡ＿００３」のレコードであり、表示認証要求電文が図１７に示したものである場合には、Ｓ１６１６において、ＡＲコンテンツ表示管理テーブルから、領域ＩＤが「ＲＲＯＶ＿００１＿ＡＲＥＡ＿００３」であり且つコンテンツＩＤが「ＶＥＮＤ＿００１＿ＣＯＮＴ＿００２」であるレコード（４２０個のレコード）が抽出される。
【０１１０】
Ｓ１６１７において、認証部４０７は、Ｓ１６０２で受信された表示認証要求電文に含まれる方位角情報が示す方位角が、Ｓ１６１６で抽出されたレコードの方位角に応じた範囲内（ＡＲ表示が許可されている方位角範囲内）であるか否かを判定する。なお、Ｓ１６１６で抽出されたレコードの方位角が「２２２２」である場合は、Ｓ１６１７の判定結果がＮＯになる。
【０１１１】
Ｓ１６１７の判定結果がＮＯの場合は、処理がＳ１６２０へ進む。
一方、Ｓ１６１７の判定結果がＹＥＳの場合、Ｓ１６１８において、認証部４０７は、Ｓ１６０２で受信された表示認証要求電文に含まれる仰角情報が示す仰角が、Ｓ１６１６で抽出されたレコードの仰角の範囲内（ＡＲ表示が許可されている仰角範囲内）であるか否かを判定する。なお、Ｓ１６１６で抽出されたレコードの仰角が「２２２２」である場合は、Ｓ１６１８の判定結果がＮＯになる。
【０１１２】
Ｓ１６１８の判定結果がＮＯの場合は、処理がＳ１６２０へ進む。
一方、Ｓ１６１８の判定結果がＹＥＳの場合、Ｓ１６１９において、認証部４０７は、Ｓ１６０２で受信された表示認証要求電文に対する応答電文として、その表示認証要求電文に含まれるコンテンツＩＤに対応するＡＲコンテンツの表示を許可する内容の応答電文をモバイル端末３０へ送信する。このときの応答電文は、例えば図１８に示したように、ＡＲコンテンツの表示を許可するという認証結果（「ＯＫ」の判定結果）と、Ｓ１６１６で抽出されたレコードの領域ＩＤに対応する領域の座標情報に基づく位置情報（位置情報要素数と各要素の位置情報）と、Ｓ１６１６で抽出されたレコードの方位角と仰角に基づく表示情報（表示情報要素数と各要素の表示情報）とを含む。このような応答電文に含まれる位置情報及び表示情報は、ＡＲコンテンツの表示が許可されている、領域（優先度が最も高い領域）、方位角、及び仰角に関する情報の一例でもある。
【０１１３】
なお、図１８に示した応答電文は、Ｓ１６１６で抽出されたレコードが、上述の、領域ＩＤが「ＲＲＯＶ＿００１＿ＡＲＥＡ＿００３」であり且つコンテンツＩＤが「ＶＥＮＤ＿００１＿ＣＯＮＴ＿００２」であるレコード（４２０個のレコード）であって、且つ、表示認証要求電文が図１７に示したものである場合の応答電文である。
【０１１４】
Ｓ１６２０においては、認証部４０７が、Ｓ１６０２で受信された表示認証要求電文に対する応答電文として、その表示認証要求電文に含まれるコンテンツＩＤに対応するＡＲコンテンツの表示を許可しない（禁止する）内容の応答電文をモバイル端末３０へ送信する。このときの応答電文は、例えば、ＡＲコンテンツの表示を許可しないという認証結果（「ＮＧ」の判定結果）を含む。
【０１１５】
Ｓ１６１９又はＳ１６２０の後は、処理がＳ１６０１へ戻る。
一方、Ｓ１６１９又はＳ１６２０で送信された応答電文の送信先であるモバイル端末３０においては、図１５に示したように、Ｓ１５０５において、その応答電文を通信部３０８が受信すると、Ｓ１５０６において、位置情報取得部３０５は、モバイル端末３０の位置情報を取得する。
【０１１６】
Ｓ１５０７において、方位角情報取得部３０６は、撮像部３０２の撮像方向の方位角情報を取得する。
【０１１７】
Ｓ１５０８において、仰角情報取得部３０７は、撮像部３０２の撮像方向の仰角情報を取得する。
【０１１８】
Ｓ１５０９において、判定部３０９は、Ｓ１５０５で受信された応答電文と、Ｓ１５０６で取得された位置情報と、Ｓ１５０７で取得された方位角情報と、Ｓ１５０８で取得された仰角情報とに基づいて、表示コンテンツ決定部３０４により決定されたＡＲコンテンツの表示が可能であるか否かを判定する。
【０１１９】
このＳ１５０９の判定では、例えば、応答電文に含まれる認証結果が、ＡＲコンテンツの表示を許可するという認証結果であり、且つ、応答電文に含まれる位置情報が示す領域内に、Ｓ１５０６で取得された位置情報が示す位置が含まれ、且つ、応答電文に含まれる表示情報が示す方位角及び仰角の範囲内に、Ｓ１５０７で取得された方位角情報が示す方位角とＳ１５０８で取得された仰角情報が示す仰角とが含まれる場合に、判定結果がＹＥＳとなり、それ以外の場合は、判定結果がＮＯとなる。このような判定方法を採用する理由は、例えば、表示認証要求電文を送信した直後にモバイル端末３０の位置や向き（撮像部３０２の撮像方向）が変化し、仮に、応答電文に含まれる認証結果が表示許可の認証結果であっても、その応答電文を受信した時点で表示許可範囲から外れてしまっている場合があり、そのような場合においても表示の可否を正しく判定するためである。
【０１２０】
Ｓ１５０９の判定結果がＹＥＳの場合、Ｓ１５１０において、表示制御部３１０は、撮像部３０２により撮像され表示部３０３に表示されている被写体のリアルタイム画像上に、表示コンテンツ決定部３０４により決定されたＡＲコンテンツを重ねて表示させ、そして、モバイル端末３０のＡＲ表示管理処理が終了する。
【０１２１】
一方、Ｓ１５０９の判定結果がＮＯの場合は、表示コンテンツ決定部３０４により決定されたＡＲコンテンツの表示を行わずに、モバイル端末３０のＡＲ表示管理処理が終了する。
【０１２２】
以上のように、本実施形態によれば、ＡＲコンテンツの表示が許可されている領域、方位角、及び仰角においてはＡＲコンテンツの表示を行わせ、ＡＲコンテンツの表示が禁止されている領域、方位角、及び仰角においてはＡＲコンテンツの表示を行わせないようにすることができる。すなわち、ＡＲコンテンツの表示を規制することができる。これにより、例えば、教会内におけるキリスト像の方向は、ＡＲコンテンツの表示を行わせないようにすることができ、公序良俗を守る観点等からも有効である。
【０１２３】
なお、本実施形態において、領域の形状は、図１３に示した正方形や長方形に限らず、他の形状（例えば、正方形や長方形以外の四角形の形状や、四角形以外の多角形の形状や、曲線を含む形状など）であってもよい。曲線は、相対座標の１単位（１座標）当たりの大きさを小さくすることによって、表現が可能である。
【０１２４】
また、図１５に示したフローチャートにおいて、Ｓ１５０５とＳ１５０６との間に、応答電文に含まれる認証結果がＡＲコンテンツの表示を許可するという認証結果であるか否かを判定する判定処理を設け、その判定結果がＹＥＳの場合にはＳ１５０６へ進み、ＮＯの場合にはモバイル端末３０のＡＲ表示管理処理が終了するようにしてもよい。このようにすることで、応答電文に含まれる認証結果がＡＲコンテンツの表示を許可しないという認証結果である場合に、Ｓ１５０６からＳ１５０８における処理を行わせないようにすることができる。なお、この場合は、Ｓ１５０９において、応答電文に含まれる位置情報が示す領域内に、Ｓ１５０６で取得された位置情報が示す位置が含まれ、且つ、応答電文に含まれる表示情報が示す方位角及び仰角の範囲内に、Ｓ１５０７で取得された方位角情報が示す方位角とＳ１５０８で取得された仰角情報が示す仰角とが含まれる場合に、判定結果がＹＥＳとなり、それ以外の場合は、判定結果がＮＯとなるようにしてもよい。
【０１２５】
また、表示認証要求電文に対する応答電文は、ＡＲコンテンツの表示を許可するか否かの認証結果のみを含む電文とし、図１５に示したフローチャートにおいては、Ｓ１５０６からＳ１５０８における処理を省いて、Ｓ１５０９においては、単に、応答電文に含まれる認証結果に応じて、判定を行うようにしてもよい。このようにすることで、判定精度は多少低下するものの、処理を簡素化することができる。
【０１２６】
以上、本発明の実施の形態を説明したが、本発明は、上述した実施の形態に限定されることなく、本発明の要旨を逸脱しない範囲内で種々の改良・変更が可能である。
【符号の説明】
【０１２７】
１          ＡＲ表示管理システム
１０        プロバイダ端末
２０        ベンダー端末
３０        モバイル端末
４０        管理サーバ
５０        ネットワーク
３０１      入力部
３０２      撮像部
３０３      表示部
３０４      表示コンテンツ決定部
３０５      位置情報取得部
３０６      方位角情報取得部
３０７      仰角情報取得部
３０８      通信部
３０９      判定部
３１０      表示制御部
３２１      ＣＰＵ
３２２      メモリ
３２３      タッチパネル装置
３２４      表示装置
３２５      カメラ
３２６      ＧＰＳセンサー
３２７      地磁気センサー
３２８      加速度センサー
３２９      ジャイロセンサー
３３０      媒体駆動装置
３３１      ネットワーク接続装置
３３２      バス
３３３      可搬型記録媒体
４０１      領域提供者管理部
４０２      ベンダー管理部
４０３      ＡＲコンテンツ管理部
４０４      領域管理部
４０５      ＡＲコンテンツ表示管理部
４０６      通信部
４０７      認証部
４０８      領域提供者管理テーブル記憶部
４０９      ベンダー管理テーブル記憶部
４１０      ＡＲコンテンツ管理テーブル記憶部
４１１      領域管理テーブル記憶部
４１２      ＡＲコンテンツ表示管理テーブル記憶部
４１３      ＡＲコンテンツ記憶部
４１４      領域座標情報記憶部
４２１      ＣＰＵ
４２２      メモリ
４２３      入力装置
４２４      出力装置
４２５      外部記憶装置
４２６      媒体駆動装置
４２７      ネットワーク接続装置
４２８      バス
４２９      可搬型記録媒体
【図１】
2019087091.tif 000003
【図２】
2019087091.tif 000004
【図３】
2019087091.tif 000005
【図４】
2019087091.tif 000006
【図５】
2019087091.tif 000007
【図６】
2019087091.tif 000008
【図７】
2019087091.tif 000009
【図８】
2019087091.tif 000010
【図９】
2019087091.tif 000011
【図１０】
2019087091.tif 000012
【図１１】
2019087091.tif 000013
【図１２】
2019087091.tif 000014
【図１３】
2019087091.tif 000015
【図１４】
2019087091.tif 000016
【図１５】
2019087091.tif 000017
【図１６】
2019087091.tif 000018
【図１７】
2019087091.tif 000019
【図１８】
2019087091.tif 000020